(57)【要約】【課題】  レンズ付きフイルムユニットを大型化させることなく、データ写し込み機構を内蔵する。【解決手段】  暗箱３５の上方で、かつ、正面から見て、フイルム給送機構を構成するスプロケット４３の右側に、データ写し込み開口を設ける。暗箱３５内には、撮影光路の上方に、第２ライトガイド４１が配設される。この第２ライトガイド４１により、暗箱３５前面から入射した写し込み光を、前記データ写し込み開口まで導光して、写真フイルム２２ａの端縁に設けられた写し込み領域２２ｄにビットマークを写し込む。シャッタカバー４６の前面には、操作部材１５に連動して揺動するマスク板４７が設けられている。このマスク板４７をデータ写し込み光路上に挿脱させることで、データ写し込みをするか否かが切り替えられる。【選択図】        図４
2004354972.tif 000002
【特許請求の範囲】
【請求項１】
被写体光が通過する撮影光路を構成する暗箱の上方にフイルム給送機構を構成するスプロケットが配置される本体基部を有する簡易型カメラに用いられ、写真フイルムの各コマに対してビットマークからなるデータを光学的に写し込むデータ写し込み装置において、
前記本体基部に形成され写真フイルムと対面する位置に設けられる写し込み開口を備えており、この写し込み開口を、前記暗箱の上方に配置したことを特徴とするデータ写し込み装置。
【請求項２】
前記写し込み開口は、前記スプロケットを回避する位置に配置されていることを特徴とする請求項１記載のデータ写し込み装置。
【請求項３】
前記撮影光路の上方には、前記写し込み開口へ写し込み光源の光を導光する写し込み光路が配設されていることを特徴とする請求項１又は２記載のデータ写し込み装置。
【請求項４】
前記写し込み光路の少なくとも一部は、前記暗箱内でかつ前記撮影光路の上方に配設されており、前記暗箱の前面には、前記写し込み光源の光を前記暗箱内へ入射させ前記写し込み光路へ導くデータ用開口が形成されるとともに、前記暗箱内には、前記写し込み光路を通過する写し込み光が前記撮影光路へ進入することを防ぐ遮光部材が設けられていることを特徴とする請求項３記載のデータ写し込み装置。
【請求項５】
前記写し込み光路は、前記暗箱の上面と、前記暗箱の上方に設けられるファインダ保持枠との間に配設されていることを特徴とする請求項３記載のデータ写し込み装置。
【請求項６】
前記写し込み光源は、カメラに設けられたストロボ発光部及びカメラ本体外部から本体内へ入射する自然光の少なくとも一方であることを特徴とする請求項１〜５いずれか記載のデータ写し込み装置。
【請求項７】
前記請求項１〜６いずれか記載のデータ写し込み装置が組み込まれたことを特徴とするレンズ付きフイルムユニット。
【請求項８】
写真フイルムとして、１３５型のフイルムを使用し、この１３５型フイルムの製造時に予めフイルム種別コードデータを記録するとともに、撮影時には請求項１〜６いずれか記載の前記データ写し込み装置によって前記ビットマークからなるビットマークデータを光学的に写し込むデータ記録方法。
【請求項９】
写真フイルムに露光された各撮影コマのプリント処理を行う際に、請求項８記載の前記フイルム種別コードデータ及び前記ビットマークデータを読み取り、これらのデータから読み取った条件に基づいて前記プリント処理を行うことを特徴とするプリント方法。
【請求項１０】
前記請求項１〜６いずれか記載のデータ写し込み装置が組み込まれるとともに、製造時に予めフイルム種別コードデータを記録した写真フイルムが装填され、撮影時には前記データ写し込み装置によって前記ビットマークからなるビットマークデータを前記写真フイルムに光学的に写し込むことを特徴とするレンズ付きフイルムユニット。
【発明の詳細な説明】
【技術分野】
【０００１】
本発明は、ビットマークなどのデータを写真フイルム上に光学的に写し込むデータ写し込み装置、及びこのデータ写し込み装置が組み込まれたレンズ付きフイルムユニット、及びこれらを用いてビットマークなどのデータを写真フイルムに写し込むデータ記録方法、及びこのデータが記録された写真フイルムをプリントするプリント方法に関するものである。
【背景技術】
【０００２】
誰でも手軽に写真撮影を楽しめるように、１回使用型の簡易型カメラであるレンズ付きフイルムユニットが知られている。レンズ付きフイルムユニットは、写真フイルムが装填されるとともに簡単な撮影機構が設けられる本体基部と、この本体基部を前後から覆う前カバー及び後カバーからなる。本体基部の中央には撮影光路を構成する暗箱が配置されており、正面から見て、暗箱の左側にはフイルムカートリッジ室が、右側にはフイルムロール室がそれぞれ配置される。暗箱の上方にはファインダ，フイルム給送機構，シャッタ機構が配置されるとともに、下方にはストロボ給電用の電池が配置される。
【０００３】
このレンズ付きフイルムユニットは、多様なモデルが開発されてきており、その中には、上記構成に加えて、プリント時に使用されるプリント指定情報を、撮影時に写真フイルム上に写し込むデータ写し込み装置を内蔵したモデルがある（特許文献１参照）。プリント指定情報は、例えば、光学的に記録されるビットマークからなり、このビットマークにより、プリントサイズ、プリントカラー（セピアやモノクロなど）、擬似ズームの有無などが指定される。データ写し込み装置は、写し込み光源，写真フイルムと対面して配置され写真フイルムに対して写し込み光を照射する写し込み開口、前記写し込み光源から前記写し込み開口へ写し込み光を導光する写し込み光路，さらに写し込み光路を遮光する遮光部材などからなる。
【０００４】
上記特許文献１のレンズ付きフイルムユニットでは、写し込み開口が暗箱の下方側に配置されている。レンズ付きフイルムユニットでは、通常、暗箱の下方は電池やメインコンデンサなどの収納スペースになっており、前記写し込み開口は、この収納スペースの背面側に配置される。写し込み光源としては写し込み専用のＬＥＤが使用されており、このＬＥＤはストロボ基板の背面側に設けられている。
【０００５】
【特許文献１】特開２０００−１６２７４６号公報
【発明の開示】
【発明が解決しようとする課題】
【０００６】
しかしながら、上記特許文献１記載のレンズ付きフイルムユニットのように、暗箱の下方に写し込み開口が配置されていると、写し込み光路を遮光するための遮光部材の部品構成が複雑になってしまう。というのも、上述したように、暗箱の下方は電池等の収納スペースになっているので、この収納スペースに写し込み光路を配設することはできない。そうすると、この収納スペースを迂回させるために、前記写し込み光路を複雑に屈曲させて配設せざるを得ないので、写し込み光路を遮光するための遮光部品の構成が複雑化してしまう。遮光部品の構成が複雑化すると、部品点数の増加や組み立て効率の低下によってユニット本体の大型化や製造コストの増加を招く。
【０００７】
また、データ写し込みモデルのストロボユニットは前記ＬＥＤを設ける必要があるために、データ写し込み機能の無いスタンダードモデルとは別の専用のストロボユニットを開発する必要があった。通常のコンパクトカメラでは、レンズ付きフイルムユニットを含む簡易型カメラと比較して生産ロットが少ないため量産効果が少なく、各々のモデルに合わせて大きさや仕様を変えた専用ストロボを開発してもそれほどコストアップにはならない。しかし、簡易型カメラでは、生産ロットが大きいため量産効果が大きく、ストロボユニットを共通化することによるコストダウン効果は大きい。このため、モデルに合わせて専用ストロボを開発することはコストダウンの大きな障害となっていた。
【０００８】
さらにまた、近年では、写真フイルムからプリント処理を行うとき、上述したような、プリントサイズ、プリントカラー（セピアやモノクロなど）の変更、擬似ズームの有無などのサービスだけでなく、焦点補正処理や、赤目補正処理、全体をぼかしたりする特殊効果処理、テンプレート画像との合成処理、あるいは、紙焼きではなくデジタルデータとしてＣＤなどのメディアに記録するサービスなどがあり、上述したような写し込み装置によるビットマークデータだけでは、これら多様なプリント処理を行うプリント指定情報の記録を行うことは困難である。
【０００９】
本発明は、簡易型カメラの大型化及び製造コストの増加を抑制するデータ写し込み装置及びこのデータ写し込み装置が組み込まれ、さらに多様なプリント処理に対応することが可能なレンズ付きフイルムユニット、これらを用いて写真フイルムにデータを記録し、多様なプリント処理に対応するデータ記録方法、及びこのデータ記録方法により記録された写真フイルムを用いて多様なプリント処理を実行可能なプリント方法を提供することを目的とする。
【課題を解決するための手段】
【００１０】
前記目的を達成するために、本発明のデータ写し込み装置は、被写体光が通過する撮影光路を構成する暗箱の上方にフイルム給送機構を構成するスプロケットが配置される本体基部を有する簡易型カメラに用いられ、写真フイルムの各コマに対してビットマークからなるデータを光学的に写し込むデータ写し込み装置において、前記本体基部に形成され写真フイルムと対面する位置に設けられる写し込み開口を備えており、この写し込み開口を、前記暗箱の上方に配置したことを特徴とする。
【００１１】
前記写し込み開口は、前記スプロケットを回避する位置に配置される。また、前記撮影光路の上方には、前記写し込み開口へ写し込み光源の光を導光する写し込み光路が配設される。
【００１２】
前記写し込み光路の少なくとも一部は、前記暗箱内でかつ前記撮影光路の上方に配設されており、前記暗箱の前面には、前記写し込み光源の光を前記暗箱内へ入射させ前記写し込み光路へ導くデータ用開口が形成されるとともに、前記暗箱内には、前記写し込み光路を通過する写し込み光が前記撮影光路へ進入することを防ぐ遮光部材が設けられる。
【００１３】
前記写し込み光路は、前記暗箱の上面と、前記暗箱の上方に設けられるファインダ保持枠との間に配設される。
【００１４】
前記写し込み光源は、カメラに設けられたストロボ発光部及びカメラ本体外部から本体内へ入射する自然光の少なくとも一方である。
【００１５】
また、本発明のレンズ付きフイルムユニットは、前記データ写し込み装置が組み込まれたことを特徴とする。
【００１６】
本発明のデータ記録方法は、写真フイルムとして、１３５型のフイルムを使用し、この１３５型フイルムの製造時に予めフイルム種別コードデータを記録するとともに、撮影時には前記データ写し込み装置によって前記ビットマークからなるビットマークデータを光学的に写し込むことを特徴とする。
【００１７】
また、本発明のプリント方法は、写真フイルムに露光された各撮影コマのプリント処理を行う際に、前記フイルム種別コードデータ及び前記ビットマークデータを読み取り、これらのデータから読み取った条件に基づいて前記プリント処理を行うことを特徴とする。
【００１８】
さらにまた、本発明のレンズ付きフイルムユニットは、前記データ写し込み装置が組み込まれるとともに、製造時に予めフイルム種別コードデータを記録した写真フイルムが装填され、撮影時には前記データ写し込み装置によって前記ビットマークからなるビットマークデータを前記写真フイルムに光学的に写し込むことを特徴とする。
【発明の効果】
【００１９】
以上詳細に説明したように、本発明のデータ写し込み装置及びこのデータ写し込み装置が組み込まれたレンズ付きフイルムユニットは、暗箱の上方に、ビットマークを写し込むための写し込み開口を設けたから、ファインダと暗箱との間にあった空きスペースに、データ写し込み光路を配設することができる。これにより、写し込み光路の遮光を確保するための部品構成を簡略化することができるので、製造コストの増加やカメラ本体サイズの大型化を抑えることができる。
【００２０】
また、本発明のデータ記録方法、プリント方法では、写真フイルムとして、１３５型のフイルムを使用し、この１３５型フイルムの製造時に予めフイルム種別コードデータを記録するとともに、撮影時には前記データ写し込み装置によって前記ビットマークからなるビットマークデータを光学的に写し込み、写真フイルムに露光された各撮影コマのプリント処理を行う際に、前記フイルム種別コードデータ及び前記ビットマークデータを読み取り、これらのデータから読み取った条件に基づいて前記プリント処理を行うので、多様なプリント処理に容易に対応することができる。
【発明を実施するための最良の形態】
【００２１】
図１に示すレンズ付きフイルムユニット２は、各種撮影機構が組み込まれたユニット本体３と、このユニット本体３の製造時に装填されたフイルムパトローネと、ユニット本体３の外周に巻き付けられるようにして貼付されるラベル４とからなる。ラベル４には、ユニット本体３の各部を露呈させるための開口が形成されている。
【００２２】
ユニット本体３の前面には、撮影レンズ５，ファインダ６，ストロボ発光部７，撮影モードを選択するための操作部材１５等が設けられている。ユニット本体３の上面には、シャッタボタン９，カウンタ表示窓１０，シグナル用開口１１等が設けられている。ユニット本体３の背面からは、撮影後のフイルム巻き上げに用いられる巻上げノブ１２の一部が露呈されている。
【００２３】
操作部材１５の主要部は、ユニット本体３の前面に形成された操作開口１４から露呈されている。図２に示すように、操作部材１５は、操作開口１４内の下方に位置する第１操作位置（図２（Ａ））と、第１操作位置から上方に向けてスライドされた第２操作位置（図２（Ｂ））と、第２操作位置から図中時計方向に回動される第３操作位置（図２（Ｃ））との間で移動自在とされている。
【００２４】
レンズ付きフイルムユニット２は、操作部材１５が第１操作位置にある際に、ストロボＯＦＦの通常撮影モードとなる。また、操作部材１５が第２操作位置にある際には、ストロボＯＮのストロボ撮影モードとなる。操作部材１５が第３操作位置にある際には、擬似ズームモードとなる。
【００２５】
擬似ズームモードとは、写真フイルム上にビットマークからなる擬似ズーム情報を光学的に写し込むことで、プリント時に露光範囲の一部を拡大してプリントするように指定するモードである。擬似ズーム情報は略方形のビットマークからなる。このビットマークの有無はプリンタによって識別され、ビットマークが写し込まれたコマは、プリント時に画像処理によって擬似的なズーミング処理が施されてプリントされる。レンズ付きフイルムユニット２は、擬似ズーム情報を写し込むための写し込み光源として、ストロボ光を使用するため、擬似ズームモードでは、ストロボがＯＮに設定される。
【００２６】
ストロボ撮影モードと擬似ズームモードでは、レンズ付きフイルムユニット２の上面からシグナル部材１７が突出される。このシグナル部材１７は透明なプラスチックで形成されたライトガイドであり、ストロボ充電の完了時に発光する発光素子の光をユニット本体３外にガイドして、撮影準備が完了したことを知らせる。
【００２７】
図３は、ユニット本体３の構成を示す分解斜視図である。ユニット本体３は、本体基部２３と、この本体基部２３の前面側に取り付けられるストロボユニット２４と、撮影モードの切り替えを行うモード切替機構２５と、本体基部２３の前面側及び背面側に取り付けられる前カバー２６及び後カバー２７とからなる。
【００２８】
本体基部２３には、１３５タイプのフイルムパトローネ２２が装填される。フイルムパトローネ２２は、写真フイルム２２ａと、この写真フイルム２２ａが収納されるパトローネ本体２２ｂとからなり、このパトローネ本体２２ｂから写真フイルム２２ａを引き出してそれをロール状に巻いた状態で、本体基部２３の背面から装填される。周知のように、写真フイルム２２ａの両側端部には、フイルム給送用のパーフォレーション２２ｅが形成されている。
【００２９】
ストロボユニット２４は、各種電気部品が取り付けられてストロボ回路が形成されたプリント基板２９と、放電管やリフレクタ，拡散板等からなるストロボ発光部７とから構成されている。また、プリント基板２９には、シャッタレリーズに連動してオンし、ストロボ発光を行わせるシンクロスイッチ３０と、操作部材１５の移動によってオン／オフされる充電スイッチを構成する金属接片３１と、電池３２をストロボ回路に接続する電池接片３３等が取り付けられている。
【００３０】
このストロボユニット２４は、データ写し込み機能を有しないスタンダードモデルのストロボユニットを使用している。こうした部品の共通化により低コスト化が図られている。簡易型カメラでは、コンパクトカメラよりも量産効果が大きいので部品共通化によるコストダウン効果は大きい。本例では、スタンダードモデルのストロボユニットをそのまま使用しているが、配置スペースの形状等の相違からそのままでは使用できない場合も考えられる。そのような場合でも、回路基板を変更するとコストアップにつながるので、回路基板は変更せずに回路基板への付加部品（シンクロスイッチなど）の変更等で対応することが好ましい。
【００３１】
本体基部２３には、その前面中央に露光部３５が設けられている。露光部３５は、撮影レンズ５を通過した撮影光の撮影光路を構成する角筒状の暗箱３６をベース部として構成される。暗箱３６の上方には、シャッタ機構，フイム巻上げ機構，ファインダ６が設けられるとともに、暗箱３６の前方には、シャッタ羽根３８（図４参照）及びレンズホルダ３７が設けられる。
【００３２】
正面から見て、露光部３５の右側には、フイルムロールを収納するフイルムロール室２３ａが、露光部３５の左側には、パトローネ本体２２ｂを収納するパトローネ室２３ｂがそれぞれ設けられている。
【００３３】
符号４０は、第１ライトガイドであり、写真フイルム２２ａに前記ビットマークを写し込むために使用されるストロボ光を露光部３５の前方まで導光する。第１ライトガイド４０は、透明なプラスチックで形成されており、ストロボ発光部７の下部前方に配置される採光部４０ａと、採光した光を照射する照射部４０ｂとを有している。
【００３４】
図４に示すように、暗箱３６の前面には、撮影用開口３６ａと、データ用開口３６ｂが形成されている。撮影レンズ５を通過した被写体光は、撮影用開口３６ａから暗箱３６内に入射して、写真フイルム２２ａの撮影領域２２ｃに投射される。他方、第１ライトガイド４０によって導光された写し込み光は、データ用開口３６ｂから暗箱３６内に入射して、写真フイルム２２ａの写し込み領域２２ｄに投射される。写し込み領域２２ｄは、撮影領域２２ｃの上方のパーフォレーション２２ｅよりもさらに外側の写真フイルム２２ａの側縁部に設けられている。
【００３５】
暗箱３６の上方には、正面から見て左側に、フイルム給送機構を構成するスプロケット４３が配置される。スプロケット４３と写真フイルム２２ａのパーフォレーション２２ｅとを係合させるために、本体基部２３には、スプロケット４３の一部を背面側に露呈する開口２３ｅが形成されている。暗箱３６の下方には、電池３２が収容される。
【００３６】
図５に示すように、本体基部２３の背面には、撮影領域２２ｃと対面する位置にアパーチャ２３ｃが形成されており、その上方には、写真フイルム２２ａの側縁部に位置する写し込み領域２２ｄと対面する位置に、写し込み光を照射する写し込み開口２３ｄが形成されている。写し込み開口２３ｄは、ビットマークの写し込みを行うために、略方形状に形成される。
【００３７】
暗箱３６内には、撮影用開口３６ａからアパーチャ２３ｃへ至る撮影光路の上方に、第２ライトガイド４１が設けられている。第２ライトガイド４１は、透明なプラスチックで形成されており、データ用開口３６ｂから暗箱３６に入射した写し込み光を写し込み開口２３ｄへ導光する写し込み光路を構成する。符号４２は、写し込み光路と撮影光路とを遮断するための遮光壁であり、写し込み光路から撮影光路への写し込み光の進入（漏光）を防止する。
【００３８】
写し込み開口２３ｄは、正面から見てスプロケット４３の右側に形成されており、スプロケット４３を回避する位置に配置されている。写し込み開口２３ｄの前方には、写し込み光路が配設されるので、暗箱３６の上部は、上方に向かって大きく隆起している。従来から、レンズ付きフイルムユニットの本体基部には、ファインダ６と暗箱上面との間には、空きスペースがあった。暗箱３６の隆起部分はこの空きスペースに収容される。
【００３９】
このように、写し込み開口２３ｄを暗箱３６の上方に配置したことで、もともと空きスペースであったところを写し込み光路を配設するスペースとして利用することができるので、本体が大型化することはない。また、写し込み光路は、暗箱３６の内壁の上面近傍に配設されるので、暗箱３６の上部を、写し込み光路を遮光する遮光部材として利用することができる。これにより、写し込み光路の遮光確保のための部品構成が簡略化される。また、写し込み開口２３ｄを暗箱３６の上方に配置したから、従来と比較して、写し込み光源（ストロボ発光部）と写し込み開口との距離が短くなるので、光源から写し込み開口への導光路も確保しやすい。
【００４０】
暗箱３６の前面には、撮影用開口３６ａとデータ用開口３６ｂを開閉するシャッタ羽根３８が配置されており、その前方には、レンズホルダ３７が配置される。暗箱３６の側方には、シャッタ羽根３８を揺動自在に支持するピン２３ｆと、バネ４５の一端が掛けられるピン２３ｇとが設けられている。
【００４１】
シャッタ羽根３８は、撮影用開口３６ａを開閉する撮影用シャッタ部３８ａと、データ用開口３６ｂを開閉するデータ用シャッタ部３８ｂと、ピン２３ｆに挿通される穴が形成された取り付け部３８ｃとからなる。取り付け部３８ｃには、バネ４５の他端が掛けられるピン３８ｄと、シンクロスイッチ３０を動作させる突起３８ｅとが設けられている。シャッタ羽根３８は、バネ４５に付勢されて撮影用開口３６ａ及びデータ用開口３６ｂを塞ぐ閉じ位置に保持されている。
【００４２】
シャッタ羽根３８は、取り付け部３８ｃの上端がシャッタ駆動レバー（図示せず）によって蹴飛ばされることで、バネ４５の付勢に抗して、撮影用開口３６ａ及びデータ用開口３６ｂを開く方向に揺動し、前記各開口３６ａ，３６ｂを全開した後、バネ４５の付勢力によって閉じ位置に復帰する。また、突起３８ｅは、シャッタ羽根３８が開き位置へ揺動するときに、シンクロスイッチ３０の一方の接片を叩き、一対の接片を接触させる。これによりシンクロスイッチ３０がＯＮＮして、ストロボ発光する。
【００４３】
レンズホルダ３７は、シャッタカバー４６をベースに、撮影レンズ５，絞りなどを組み込んだものである。シャッタカバー４６は、シャッタ羽根３８とともに、暗箱３６の前面を覆う。シャッタカバー４６には、データ用開口３６ｂと対応する位置に、開口４６ａが形成されている。この開口４６ａは、マスク板４７によって開閉される。
【００４４】
マスク板４７は、データ写し込み光路上に挿脱自在に設けられており、擬似ズームモードが選択されていないときに、開口４６ａと第１ライトガイド４０の照射部４０ｂとの間の写し込み光路上に挿入され、第１ライトガイド４０の照射部４０ｂから照射される光が、データ用開口３６ｂへ進入することを禁止する。
【００４５】
マスク板４７は、アーム４７ｂがピン４６ｂに揺動自在に取り付けられており、遮蔽部４７ａが写し込み光路から退避して開口４６ａを開く位置と、遮蔽部４７ａが写し込み光路へ進入して開口４６ａを閉じる位置との間で移動する。マスク板４７は、例えば、ねじりバネ４８によって閉じ位置に向けて付勢されている。ねじりバネ４８の一端は、シャッタカバー４６に設けられたピン４６ｃに掛けられており、他端がマスク板４７に設けられたピン（図示せず）に掛けられている。ピン４６ｄは、マスク板４７の揺動範囲を閉じ位置で規制するストッパである。マスク板４７は、操作部材１５に連動して揺動する。アーム４７ｂの下端には、操作部材１５の押圧レバー１５ａが当接してマスク板４７を揺動させるための駆動ピン４７ｃが形成されている。
【００４６】
図６（Ａ）に示すように、操作部材１５が第１操作位置及び第２操作位置にあるときには、押圧レバー１５ａと、駆動ピン４７ｃとは接触せず、したがって、マスク板４７は、ねじりバネ４８の付勢によって写し込み光路上に挿入される位置に保持される。このため、シャッタ羽根３８が開いて、データ用開口３６ｂが開放されても、マスク板４７によって、写し込み光路が遮断されているから、データ用開口３６ｂに光が入射することはない。
【００４７】
他方、図６（Ｂ）に示すように、操作部材１５が第３操作位置にあるときには、押圧レバー１５ａと駆動ピン４７ｃと当接して、該押圧レバー１５ａによって駆動ピン４７ｃが押し上げられる。これにより、マスク板４７が、バネ４８の付勢に抗して図中反時計方向に揺動して、写し込み光路から退避する。この状態で、シャッタ羽根３８が開くと、照射部４０ｂからの光がデータ用開口３６ｂに入射して、データ写し込みが行われる。
【００４８】
図７は、モード切替機構２５の構成を示す分解斜視図である。移動機構５１は、操作部材１５と、軸受板７７と、スライド板７８と、受け板７９とから構成されている。操作部材１５の切替板７４の背面には、円環形状の回動ガイド７４ａと、スライド板７８をスライドさせる２本のスライドピン７４ｂ，７４ｃと、操作部材１５の移動方向をガイドするガイドピン７４ｅとが設けられている。２本のスライドピン７４ｂ，７４ｃは、回動ガイド７４ａの中に配置されている。
【００４９】
軸受板７７には、操作部材１５の回動ガイド７４ａが挿入される軸受開口７７ａと、ガイドピン７４ｅが挿入される開口７７ｃが形成されている。軸受板７７は、操作部材１５の第１操作位置と第２操作位置との間の移動に連動して上下方向でスライドされる。また、操作部材１５が第２操作位置と第３操作位置との間で回動する際には、軸受板７７は移動せず、軸受開口７７ａによって操作部材１５を軸支する。
【００５０】
また、軸受板７７の背面には、スライド板７８をスライドさせるスライドピン７７ｇと、ストロボユニット２４の基板２９に設けられた充電スイッチの金属接片３１を押圧して充電動作を行わせる押圧片７７ｈとが設けられている。
【００５１】
スライド板７８には、シグナル部材１７と係合する係合部７８ａが設けられている。また、スライド板７８には、操作部材１５の２本のスライドピン７４ｂ，７４ｃがそれぞれ挿入される二つの開口７８ｂ，７８ｃと、軸受板７７のスライドピン７７ｇが挿入される開口と７８ｄと、受け板７９のガイドピン７９ａと係止片７９ｂとが挿入されるスリット７８ｅと、受け板７９のガイドピン７９ｃが挿入されるスリット７８ｆと、軸受板７７の押圧片７７ｈが挿入される開口７８ｇとが設けられている。スリット７８ｅ内には、受け板７９の係止片７９ｂに係合する突起７８ｈが設けられている。
【００５２】
スライド板７８は、操作部材１５の第１操作位置と第２操作位置と間の移動時に、操作部材１５のスライドピン７４ｂと軸受板７７のスライドピン７７ｇとに押圧されて上下方向でスライドする。また、操作部材１５が第２操作位置と第３操作位置との間で回動する際には、操作部材１５の回動中心から離れて設けられたスライドピン７４ｃがスライド板７８を押圧し、スライド板７８を更に大きくスライドさせる。
【００５３】
受け板７９には、前述のガイドピン７９ａ，７９ｃ及び係止片７９ｂと、操作部材１５のガイドピン７４ｅに当接する規制リブ７９ｆと、ガイドピン７４ｅに当接する規制ピン７９ｇと、軸受板７７の押圧片７７ｈが挿入される開口７９ｈとが設けられている。開口７９ｈは、ストロボユニット２４の充電スイッチの金属接片３１に対面する位置に設けられている。
【００５４】
受け板７９は、ストロボユニット２４のプリント基板２９の前面側に取り付けられ、ガイドピン７９ａ，７９ｃと係止片７９ｂとによって、スライド板７８と軸受板７７と操作部材１５とをガイドする。受け板７９の規制リブ７９ｆは、操作部材１５のガイドピン７４ｅに当接して、第１操作位置にある操作部材１５が回動されないように、また第３操作位置にある操作部材１５が下方にスライドされないように規制する。受け板７９の規制ピン７９ｇは、操作部材１５が第２操作位置にある際にガイドピン７４ｅに当接し、操作部材１５が簡単に第３操作位置に回動されるのを阻止する。
【００５５】
操作部材１５が第１操作位置にあるときには、金属接片３１は、押圧片７７ｈと接触しないので、ストロボの充電はされない。このため、シャッタレリーズによりシンクロスイッチ３０がＯＮしてもストロボ発光はしない。また、この第１操作位置にあるときには、操作部材１５の押圧レバー１５ａと、マスク板４７の駆動ピン４７ｃとは当接しないので、マスク板４７は開口４６ａと照射部４０ｂとの間に挿入されて写し込み光路を遮断している。このため、シャッタレリーズによりデータ用開口３６ｂが開放されても、写し込み領域２２ｄにビットマークが写し込まれることはない。
【００５６】
操作部材１５が第２操作位置にあるときには、金属接片３１は、押圧片７７ｈと接触してこれを押圧し、充電スイッチをオンする。これにより、ストロボの充電が開始される。このため、シャッタレリーズによりシンクロスイッチ３０がＯＮするとストロボが発光する。他方、この第２操作位置では、第１操作位置と同様に、操作部材１５の押圧レバー１５ａは、マスク板４７の駆動ピン４７ｃと当接しないので、マスク板４７は、依然として写し込み光路を遮断している。このため、第１ライトガイド４０によって導光されたストロボ光が照射部４０ｂから照射されても、ストロボ光がデータ用開口３６ｂから入射することはなく、ビットマークは写し込まれない。
【００５７】
操作部材１５が第３操作位置にあるときには、第２操作位置と同様に、充電スイッチがオンされて、シャッタレリーズと同期してストロボが発光する。また、第３操作位置では、押圧レバー１５ａによってマスク板４７の駆動ピン４７ｃが押し上げられて、マスク板４７が写し込み光路から退避する。このため、シャッタレリーズが行われると、照射部４０ｂから照射されたストロボ光がデータ用開口３６ｂから入射して、写し込み領域２２ｄにビットマークが写し込まれる。
【００５８】
上記実施形態では、暗箱内に写し込み光路を構成する第２ライトガイドを配設した例で説明したが、暗箱内でなくてもよく、図８に示すように、暗箱３６の上面と、ファインダ保持枠８１との間に配設してもよい。第２ライトガイド８２は、例えば、暗箱３６の上面に沿って配設される。そして、ファインダ保持枠８１の下部に第２ライトガイド８２を遮光する遮光部材８３が形成され、この遮光部材８３によって写し込み光路の遮光が確保される。この遮光部材８３には、ストロボ光が入射するデータ用開口８３ａが形成される。もちろん、遮光部材はファインダ保持枠と一体に形成せずに、独立の部品として形成してもよい。
【００５９】
上記実施形態では、写し込み光源として、ストロボ装置を利用した例で説明したが、専用の写し込み光源を使用してもよい。専用の写し込み光源としては、例えば、図９に示すように、チップ型のＬＥＤ９１が使用される。チップ型のＬＥＤ９１は、発光部が直接基板上に埋め込まれているので、リード付きＬＥＤと比較して、小型であり、狭いスペースに実装しやすいという特徴を持つ。もちろん、ＬＥＤ９１として、リード付きＬＥＤを使用してもよい。
【００６０】
ＬＥＤ９１は、本体基部２３に形成された写し込み開口９２の前面に配置される。写し込み開口９２の周囲には、遮光用のケース９３が設けられており、ＬＥＤ９１は、ケース９３内に収納される。ケース９３には、カバー９４が取り付けられ、ケース９３が光密に塞がれる。これにより、ＬＥＤ９１からケース９３外への漏光を防止している。
【００６１】
電池９５は、ＬＥＤ９１を発光させるための専用の電源である。ＬＥＤ９１を発光させるためには、３Ｖ程度の電圧が必要であるから、電池９５としては、例ば、３Ｖのボタン型電池が使用される。この電池９５は、本体基部２３に設けられた電池ホルダ９６に収納される。レンズ付きフイルムユニットでは、ＬＥＤの発光回数は多くても５０回程度なので、容量が小さい小型のものを使用してもよい。
【００６２】
図１１は本例のストロボ回路１０１とＬＥＤ発光回路９０とを示す。この図に示すように、電池９５，ＬＥＤ９１，ＬＥＤスイッチ１０７及びシンクロスイッチ３０は直列に接続されており、これらが発光回路９０を構成する。電池９５及びＬＥＤ９１は、配線９６を介して、プリント基板２９に設けられたシンクロスイッチ３０及びＬＥＤスイッチ１０７と接続される。符号１０８は、メインコンデンサ１０４が放電したときに、その放電電流からＬＥＤ９１を保護するための高圧タイプのダイオードである。
【００６３】
ＬＥＤスイッチ１０７は、操作部材１５が第３操作位置にきたときにオンするスイッチであり、ＬＥＤ９１の発光の有無を選択する。ＬＥＤスイッチ１０７は、図１０に示すように、１対の接片９８ａ，９８ｂと、略扇形の接片９９とからなる。１対の接片９８ａ，９８ｂは、プリント基板２９に設けられており、操作部材１５の背面には、これら１対の接片９８と対面する位置に、接片９９が設けられている。操作部材１５が第２操作位置にある時には、接片９９は、一方の接片９８ａとだけ接触しているので、両接片９８ａ，９８ｂは導通せず、ＬＥＤスイッチ１０７はオフとなる。このため、ストロボが発光してもＬＥＤ９１は発光しない。他方、操作部材１５が回動して第３操作位置にくると、接片９９が、両接片９８ａ，９８ｂと接触する。これによりＬＥＤスイッチ１０７がオンする。この場合には、ストロボ発光とともに、ＬＥＤ９１が発光する。
【００６４】
ストロボ回路１０１は、充電回路１０２，トリガー回路１０３，放電管１０４，メインコンデンサ１０５，充電スイッチ１０６，シンクロスイッチ３０からなる。充電スイッチ１０６がオンすると、充電回路１０２が作動して、メインコンデンサ１０５が充電される。この状態で、シンクロスイッチ３０がオンすると、トリガー回路１０３が作動しトリガー信号が発信される。このトリガー信号により放電管１０４の絶縁が破壊されて、メインコンデンサ１０５に蓄電された電気が一気に放電して、放電管１０４が発光する。ＬＥＤスイッチ１０７がオンしている場合には、シンクロスイッチ３０のオンにより発光回路９０が閉路されて、電池９５からの給電によりＬＥＤ９１も発光する。
【００６５】
この実施形態のストロボユニットは、スタンダードモデルのストロボユニットが流用される。本実施形態のストロボユニットは、従来と同様に専用のＬＥＤ９１を用いているものの、ストロボ回路の構成は、スタンダードモデルのストロボユニットの回路構成と基本的に同一の構成である。違いとしては、プリント基板２９に、発光回路９０を構成するＬＥＤスイッチ１０７が設けられているか否かである。ＬＥＤ９１や電源９５は、プリント基板２９上に設けられているわけではないので、ＬＥＤ９１や電源９５を配置するスペースを確保するためにプリント基板２９を大型化する必要もない。
【００６６】
このように、スタンダードモデルのストロボユニットを流用しているので、従来のように専用のストロボユニットを用いる場合と比較して、製造コストの増加は抑えられる。また、図１１に示すストロボ回路の他、例えば、特開平１１−８４５１１号公報や特開平１１−８４５１２号公報に示すようなストロボ回路を使用してもよい。このストロボ回路では、ＬＥＤを発光させるための電圧をメインコンデンサを充電するための発振回路から取り出すようにしている。この回路を使用すれば、ＬＥＤ専用の電源が不要になる。
【００６７】
このように、写し込み光源としてＬＥＤを使用した場合には、ストロボ光を利用した場合と比較して部品コストが増加するが、ストロボを共通化することにより、コストダウンを図っているのでコスト増加が抑えられる。また、ストロボを共通化することによるメリットは、リサイクルコストの低下にもつながる。というのは、モデル毎に専用のストロボを使用した場合には、リサイクルにおいてもモデルに合わせる必要がある。しかし、異なるモデル間でストロボユニットが共通化されていれば、例えば、いったんスタンダードモデル（データ写し込み機能無し）で使用されたストロボユニットを、リサイクル時にはデータ写し込みモデルで使用するといったことができる。このため、モデル毎の仕分けが不要となるため、回収，検査，リペアなどリサイクルの各工程がしやすくなり、リサイクルコストが軽減される。
【００６８】
上記実施形態では、いずれも、ストロボ発光と同期して、ビットマークを写し込む例で説明したが、ストロボ発光と同期させずにビットマークの写し込みを行うようにしてもよい。また、写し込み光源として、ストロボ光やＬＥＤの代わりに、自然光を使用してもよい。ここで、自然光とは、ユニット本体外部から本体内へ入射する外光をいい、この外光には太陽光の他に街灯や室内灯が含まれる。この場合には、ユニット本体に外光を採光する採光窓が必要になる。採光部材としては、第１実施形態で使用した第１ライトガイドが使用される。また、写し込み光源として、自然光とストロボ光とを併用してもよい。
【００６９】
また、ビットマークを擬似ズーム処理を指定する情報として説明したが、擬似ズームに限らず、プリントカラーの指定やプリントサイズの指定などプリント処理に関する各種の指定を行うプリント指定情報に用いることができる。
【００７０】
上記第１の実施形態では、写真フイルムに記録するデータとして、写し込み装置で写し込まれたビットマークデータのみを使用し、このビットマークデータを擬似ズーム処理に指定する情報として使用する場合を例示して説明しているが、写真フイルムに記録するデータの種類、及びこれらのデータを用いて写真フイルムから各撮影コマの画像をプリントするプリント方法はこれに限るものではない。以下で説明する本発明の第２の実施形態では、写真フイルムに記録するデータとして、フイルム製造時に予め記録するフイルム種別コードデータを使用するとともに、これらのデータを両方用いてプリントするプリント方法を例に上げる。本実施形態では、図１２に示す写真フイルムを使用する。なお、図１２〜１４においては、上記第１の実施形態と同様の部品及び部材を用いているものについては同符号を付し、説明を省略する。
【００７１】
図１２（Ａ）に示す写真フイルムは、工場での製造後、レンズ付きフイルムユニットに装填される前の状態を示すものである。この写真フイルム１２０は、１３５タイプのものであり、上記第１の実施形態で使用された写真フイルム２２ａと同様に、撮影領域１２０ａと写し込み領域１２０ｂとが設定されているとともに、パーフォレーション１２０ｃが形成されており、さらに、工場での製造時にフイルム種別コードデータ１２１が予め記録されている。また、従来の１３５タイプフイルムと同様にＤＸコードデータ１２２も形成されている。
【００７２】
フイルム種別コードデータ１２１は、写真フイルム１２０の側縁付近でＤＸコードデータ１２２とは反対側に位置しており、ＤＸコードデータ１２２と同様に、写真フイルム１２０への潜像記録、例えばフイルム種別コード１２１を除く部分をマスクし、感光層に光学的な記録、例えばＬＥＤなどで照射することによってバーコードデータが形成されている。このフイルム種別コードデータ１２１は、図中上段（写真フイルム１２０の側縁に近い）側で、決まった幅のバー１２１ｃを等間隔で配列して形成されたクロックトラック１２１ａと、下段側でクロックトラック１２１ａに同期して、クロックトラック１２１ａのバーの位置、あるいは、バー同士の間の位置に形成され、写真フイルム１２０のフイルム種別情報を表すデータトラック１２１ｂとから構成される。そして、このフイルム種別コードデータ１２１を読取る際にはデータトラック１２１ｂのバー１２１ｄが、クロックトラック１２１ａのバー１２１ｃによって設定されるタイミングの何れに対応しているかを判別してデータの値  決まると共に、このデータの値を予め設定されたデータテーブル  のデータと参照することで各種情報が判別されるものとなっている。なお、フイルム種別コードデータ１２１が記録される記録エリアは、例えば全長Ｌ＝１０．５ｍｍに設定され、記録エリア間のピッチＰ＝３８ｍｍに設定されている。
【００７３】
フイルム種別コードデータ１２１は、例えば、以下の情報を示している。なお、説明の都合上、データトラック１２１ｂの各位置（クロックトラック１２１ａの各バー１２１ｃ、又はバー１２１ｃ間に対応する位置）を、センサによる写真フイルム１２０の読み取り方向Ａに対して上流側から下流側に向かって順に、第１〜第２３ビットＢ１〜２３と符号を付して説明する。まず第１〜第６ビットＢ１〜６まではＥＮＴＲＹビットであり、次の第７ビットＢ７から各種情報を識別するようになっている。そして第７ビットＢ７は、写真フイルムが使用されたのがカメラか、レンズ付きフイルムユニットかの識別を示すビットである。次の第８〜１０ビットＢ８〜１０は、カメラの種別を示す。
【００７４】
そして、第１１〜１６ビットＢ１１〜１６は、この写真フイルムがプリント処理の際、どのようなサービスを受けるかの種別を示し、これらの位置におけるバーの有無によってプリント処理を行うときの条件が決定する。このサービスの種類としては、上述したような擬似ズーム処理や、あるいは特殊効果処理（全体のボカシや、レトロ風の色調に変換するなどのフイルタ処理などを行う）、紙焼きのプリントではなくデジタルデータに変換するデジタルデータ処理、赤目補正処理（ストロボ使用コマを判別）、レンズ付きフイルムユニットに特定した画質向上処理（レンズ付きフイルムユニットで使用された場合のみ、特定の画質補正処理、例えば焦点距離補正、色彩向上などを行う。）などがあり、これらのいずれかの位置にデータトラック１２１ｂのバー１２１ｄが形成され、データトラック１２１ｂによって特定されたサービス種別と、ビットマークデータ１２３のビットマーク個数とを組み合わせてプリント処理の際のサービス種別を特定することができる。このサービス種別の特定としては例えば、擬似ズーム処理のビットの位置にバーが形成されていれば、この写真フイルム１２０では、擬似ズーム処理を行うことが可能となっており、さらにビットマークデータ１２３の個数が１個ならば、その撮影コマは、擬似ズーム処理が行われ、ビットマークデータ１２３の個数が０（マークなし）ならば、その撮影コマは擬似ズーム処理が行われないといった条件の決定をすることができる。なお、他のサービス種別でも同様に、そのサービス種別の中で複数ある選択肢のうち、それらのいずれかにビットマークの個数が対応しており、各撮影コマにおいて、撮影時に選択された特定の選択肢が判別できるようになっている。
【００７５】
また、第１７，１８ビットＢ１７，Ｂ１８は特殊効果処理や、テンプレート画像との合成処理の有無を示し、第１９ビットＢ１９はパリティチェックビット（情報をビットで表す際に，もう1 つ余分なビットを付け加えて，その奇偶で情報の誤りをチェックするためのもの）であり、第２０〜２３ビットＢ２０〜２３はＥＸＩＴビットである。
【００７６】
このように製造された写真フイルム１２０は、フイルムパトローネ１２６（図１４参照）として、上記第１の実施形態と同様のレンズ付きフイルムユニットに装填されて使用され、レンズ付きフイルムユニットに組み込まれた写し込み装置によって、ビットマークが写し込まれ、図１２（Ｂ）に示すようなビットマークデータ１２３が形成される。
【００７７】
そして、レンズ付きフイルムユニットでの撮影終了後、現像所に依頼してユニット本体ごとフイルムパトローネ１２６が引き渡される。現像所では、先ず、写真フイルム１２０の現像処理が行われる。現像処理を終えた写真フイルム１２０は、図１３に示す構成のプリンタプロセサ１３０にかけられてプリント処理が行われる。プリンタプロセサ１３０は、フイルムスキャナ１３１，コントローラ１３２，デジタルプリンタ１３３，ペーパープロセサ１３４及びペーパーカッタ１３５から構成されている。更に、フイルムスキャナ１３１には、モニタ１３６，キーボード１３７が接続され、また、コントローラ１３２には、ハードディスク（ＨＤ）１３８が接続されている。
【００７８】
現像済みの写真フイルム１２０は、フイルムスキャナ１３１にセットされる。この写真フイルム２２には、上述したように予め製造時に撮影コマ毎に１個ずつのフイルム種別コードデータ１２１が潜像記録されるとともに、撮影時に写し込み装置によってビットマークデータが潜像記録されており、これらのデータが現像によって目視可能に現れる。プリンタプロセサ１３０は、これらフイルム種別コードデータ１２１及びビットマークデータ１２３を読み取り、これらのデータから読み取った条件に基づいて、写真フイルム１２０に露光された各撮影コマのプリント処理を行う。
【００７９】
次に本実施形態の作用について、図１４に示すフローチャートに従って説明する。まず、撮影済みのレンズ付きフイルムユニットからフイルムパトローネ１２６を取り出して自動現像機にセットし、写真フイルム１２０の現像処理を行う。この現像処理の際、写真フイルム１２０は、フイルムパトローネ１２６から取り出される。次に、この現像済みの写真フイルム１２０をプリントプロセサ１０のフイルムスキャナ１１にセットする。
【００８０】
フイルムスキャナ１３１は、写真フイルム１２を搬送しながら、各撮影コマのプレスキャンを行ってフイルム種別コードデータ１２１及びビットマークデータ１２３を読み取る。フイルムスキャナ１３１は、フイルム種別コードデータ１２１及びビットマークデータ１２３を検出すると、スキャン密度を変更し、本スキャンを行う。この時、各撮影コマ２４の画像の他、各撮影コマのコマ番号データもスキャニングされる。
【００８１】
各撮影コマの画像データは、対数変換やＡ／Ｄ変換されてデジタル化され、これが内蔵するフレームメモリに赤色（Ｒ），緑色（Ｇ），青色（Ｂ）の各色毎に記憶される。そして、フレームメモリから読み出された各色の画像データに基づいてモニタ１３６に表示される。オペレータは、これを見て、補正が必要な画像に対してはキーボード１３７により補正量を入力する。
【００８２】
各撮影コマから読み取られた画像データ，フイルム種別コードデータ１２１、ビットマークデータ１２３及びコマ番号データは、フイルムスキャナ１３１のフレームメモリから読み出され、コントローラ１３２を介してハードディスク（ＨＤ）１３８の画像ファイルに各コマの記録順に記録される。次に、コントローラ１３２は、ハードディスク１３８の画像記憶ファイルから画像データ、フイルム種別コードデータ１２１、ビットマークデータ１２３及びコマ番号データを読み出して、これをデジタルプリンタ１３３に送る。
【００８３】
デジタルプリンタ１３３は、コントローラ１３２からの画像データとフイルム種別コードデータ１２１、ビットマークデータ１２３から読み取られた各サービス種別及びその処理条件に基づいて画像を形成するようにレーザー光による走査露光方式でカラーペーパーの乳剤面に順次に焼付露光する。焼付露光済みのカラーペーパーは、周知のペーパープロセサ１３４送られ、ここで現像処理される。現像処理を終えたカラーペーパーはペーパーカッター１３５で１枚ずつ切り離され、プリンタプロセサ１３０の外部へ排出される。
【００８４】
このようにして、フイルム種別コードデータ１２１、及びビットマークデータ１２３を組み合わせ、これらから読み取られた条件に基づいて、様々なサービス種別のプリントを容易に行うことができる。
【００８５】
なお、上記第１および第２の実施形態では、１３５タイプのフイルムパトローネを使用したレンズ付きフイルムユニットに適用した例で説明したが、ＩＸ２４０タイプのフイルムカートリッジを使用したレンズ付きフイルムユニットに本発明を適用してもよい。
【００８６】
また、本発明を、１回使用型の簡易型カメラであるレンズ付きフイルムユニットに適用した例で説明したが、写真フイルムを交換して複数回使用できる簡易型カメラに適用してもよい。
【図面の簡単な説明】
【００８７】
【図１】レンズ付きフイルムユニットの外観斜視図である。
【図２】モードを切り替える操作部材のモード選択位置を示す説明図である。
【図３】レンズ付きフイルムユニットの分解斜視図である。
【図４】データ写し込み機構の説明図である。
【図５】暗箱の断面図である。
【図６】マスク板と操作部材の連動関係の説明図である。
【図７】モード切替機構の構成図である。
【図８】暗箱の上面に写し込み光路を配設した例の説明図である。
【図９】写し込み光源にＬＥＤを用いた例の説明図である。
【図１０】ＬＥＤスイッチを構成する接片の説明図である。
【図１１】ストロボ回路の説明図である。
【図１２】第２実施形態を適用した写真フイルムを示す平面図である。
【図１３】第２実施形態を適用したプリンタプロセサの概略的な構成を示すブロック図である。
【図１４】第２実施形態を適用したプリンタプロセサの主なシーケンスを示すフローチャートである。
【符号の説明】
【００８８】
２  レンズ付きフイルムユニット
６  ファインダ
７  ストロボ発光部
１５  操作部材
２２ａ，１２０  写真フイルム
２２ｄ，１２０ｂ  写し込み領域
２３  本体基部
２３ｄ  写し込み開口
２４  ストロボユニット
２５  モード切替機構
３６  暗箱
３６ａ  撮影用開口
３６ｂ  データ用開口
３８  シャッタ羽根
３８ａ  撮影用シャッタ部
３８ｂ  データ用シャッタ部
４０  第１ライトガイド
４１  第２ライトガイド
４６ａ  開口
４７  マスク板
１２１  フイルム種別コードデータ
１２３  ビットマークデータ
１３０  プリンタプロセサ
【図１】
2004354972.tif 000003
【図２】
2004354972.tif 000004
【図３】
2004354972.tif 000005
【図４】
2004354972.tif 000006
【図５】
2004354972.tif 000007
【図６】
2004354972.tif 000008
【図７】
2004354972.tif 000009
【図８】
2004354972.tif 000010
【図９】
2004354972.tif 000011
【図１０】
2004354972.tif 000012
【図１１】
2004354972.tif 000013
【図１２】
2004354972.tif 000014
【図１３】
2004354972.tif 000015
【図１４】
2004354972.tif 000016